(57)【要約】【課題】一般の建築用パネルと同様に利用することができ、尚且つ、スピーカーとしても利用することができ、しかも外観及び施工性の優れたスピーカー機能付き建築用パネルを提供する。【解決手段】基板１に前面に開口する収納孔５を形成し、該収納孔５の前端部５ｂの開口縁を後方部５ａよりも拡大して段４を形成し、該段状に形成された収納孔５の前端部５ｂに振動板２を収納孔５の開口を閉塞するように配設すると共に該振動板２の前面を基板１の前面と面一とし、振動板２の後面中央に加振器３を設ける。【選択図】        図１
2010077737.tif 000002
【特許請求の範囲】
【請求項１】
基板に前面に開口する収納孔を形成し、該収納孔の前端部の開口縁を後方部よりも拡大して段を形成し、該段状に形成された収納孔の前端部に収納孔の開口を閉塞するように振動板を配設すると共に該振動板の前面を基板の前面と面一とし、振動板の後面中央に加振器を設けることを特徴とするスピーカー機能付き建築用パネル。
【請求項２】
前記基板に収納孔に通じる配線収納溝を形成することを特徴とする請求項１に記載のスピーカー機能付き建築用パネル。
【請求項３】
前記加振器を基板の厚み内に配置することを特徴とする請求項１又は請求項２に記載のスピーカー機能付き建築用パネル。
【請求項４】
前記振動板を基板に対して基板の前面側から着脱自在に取り付けることを特徴とする請求項１乃至３のいずれか１項に記載のスピーカー機能付き建築用パネル。
【発明の詳細な説明】
【技術分野】
【０００１】
本発明はスピーカー機能付き建築用パネルに関する。
【背景技術】
【０００２】
例えば特許文献１に示すように部屋の天井の一部にスピーカーを設置する場合がある。
【０００３】
ところで、この種のスピーカーは、本来、建物の天井を構成するものではないため、天井にスピーカーが設けられたことが一目でわかり、部屋が統一感のないものとなる。
【０００４】
また、特許文献１のスピーカーは、トランスデューサーを設けた振動板の周縁部がフレームで支持され、フレームと振動板との間に段差が形成される。このため、見栄えが悪く、またフレームの内側に振動板を設けたスピーカーであることが容易に認識でき、この点でも部屋は統一感のないものとなる。
【０００５】
また、このスピーカーを取り付ける際には、振動板の裏面側に突出するトランスデューサーが他の部材に干渉する恐れがある等、施工性が悪い。また、このスピーカーにおける振動板は周縁部のみがフレームで支持されるものであり、天井を構成する部材としては強度が低い。
【特許文献１】特許第３７６３８４８号（３５頁、図２５）
【発明の開示】
【発明が解決しようとする課題】
【０００６】
本発明は上記従来の問題点に鑑みてなされたものであって、一般の建築用パネルと同様に利用することができ、尚且つ、スピーカーとしても利用することができ、しかも外観及び施工性の優れたスピーカー機能付き建築用パネルを提供することを課題とする。
【課題を解決するための手段】
【０００７】
上記課題を解決するために請求項１に係るスピーカー機能付き建築用パネルは、基板１に前面に開口する収納孔５を形成し、該収納孔５の前端部５ｂの開口縁を後方部５ａよりも拡大して段４を形成し、該段状に形成された収納孔５の前端部５ｂに振動板２を収納孔５の開口を閉塞するように配設すると共に該振動板２の前面を基板１の前面と面一とし、振動板２の後面中央に加振器３を設けることを特徴とする。
【０００８】
また、前記基板１に収納孔５に通じる配線収納溝８を形成することが好ましい。
【０００９】
また、前記加振器３を基板１の厚み内に配置することが好ましい。
【００１０】
また、前記振動板２を基板１に対して基板１の前面側から着脱自在に取り付けることが好ましい。
【発明の効果】
【００１１】
請求項１では、一般のスピーカー機能を備えていない建築用パネルと同様に、基板により主体が構成されるため、強度の高い建築用パネルとして利用することができる。また、加振器により、基板の前面と共に天井面の一部や壁面の一部を構成する振動板の発音部を振動させ、音を発することができ、スピーカーとしても利用することができる。
【００１２】
また、振動板の前面を基板の前面と面一とするため、見栄えが良い。また、振動板の前面と基板の前面との間に段差が形成されないため、一般の建築用パネルと略同じ外観となる。また、加振器を収納孔に収納でき、スピーカー機能付き建築用パネルの際には、加振器が他の部材に干渉することを防止でき、施工性が良い。
【００１３】
また請求項２では、加振器に接続される配線を配線収納溝に収納することができ、スピーカー機能付き建築用パネルの施工性をさらに向上できる。また、基板の後方に配線を収納するためのスペースを形成する必要がなく、施工の自由度が増す。
【００１４】
また請求項３では、加振器を基板の厚み内に配置することができるため、基板を下地の前面に取り付ける場合に、加振器が他の部材にさらに干渉し難くなる。
【００１５】
また請求項４では、スピーカー機能付き建築用パネルの設置後において、スピーカー機能付き建築用パネルの室内側から振動板を加振器と共に取り外したり取り付けたりすることができ、この場合、基板を下地から取り外す等する必要がなく、振動板や加振器のメンテナンスを容易に行うことができる。
【発明を実施するための最良の形態】
【００１６】
以下、本発明の実施形態の一例を添付図面に基づいて説明する。
【００１７】
図１に示す本実施形態の一例のスピーカー機能付き建築用パネルは、建物の桟や下地板等（以下、単に下地と記載する）に取り付けられ、天井材や壁材等の建築用パネルとして利用されるものである。なお、以下ではスピーカー機能付き建築用パネルの設置状態における室内側を前側として説明する。
【００１８】
スピーカー機能付き建築用パネルは矩形状（図示例では長方形状）に形成され、建物の下地に取り付けられる基板１と、基板１の前面側に設けられる複数の振動板２と、振動板２の後面に設けられて振動板２を振動させる加振器３とで構成されている。
【００１９】
基板１は木質材料で形成され、振動板２と比べて厚みが大きくなっている。
【００２０】
長方形状に形成された基板１の長手方向における両側部分には、基板１の前面側に開口する収納孔５が形成されている。各収納孔５は基板１の厚み方向（前後方向）に貫通する孔からなる。
【００２１】
各収納孔５は、前端部５ｂの開口縁を後方部５ａよりも拡大して段４を形成した孔からなる。図示例では、後方部５ａが円形の孔からなり、前端部５ｂが後方部５ａよりも大径の孔からなる。
【００２２】
後方部５ａの内周面と前端部５ｂの内周面は正面視環状の段４を介して接続されている。基板１は収納孔５が形成されていない部分が大部分を占め、強度が高められている。
【００２３】
段状に形成された各収納孔５の前端部５ｂには収納孔５を閉塞するように振動板２が配設され、また、後方部５ａには各振動板２の後面に設けられた加振器３が配置される。
【００２４】
各振動板２は円形に形成され、その直径及び厚みは前端部５ｂの内径及び深さと略同じである。各振動板２は加振器３によって振動しやすいよう基板１と比べて弾力性に富んだ材料からなる。具体的には、振動板２は発泡ポリプロピレンからなる。
【００２５】
加振器３は各振動板２の中央に設けられる。各加振器３は一枚の振動板２に対して一個ずつ取り付けられる。
【００２６】
図１に示すように、加振器３が設けられた振動板２の外周部を前側から段４に接着することで、各振動板２は前面が基板１の前面と面一とした状態で基板１に取り付けられる。これにより、各振動板２は隙間なく収納孔５の前端部５ｂに収納され、また、各加振器３は基板１と接触しない状態で収納孔５の後方部５ａに配置される。また、このように各振動板２を基板１に取り付けることで、各振動板２の後方部５ａに対応する円形部分は基板１に固定されない振動可能な発音部６となる。
【００２７】
ここで、各加振器３は、図２（ａ）に示すように加振器３の一部が基板１よりも後方に突出した状態で収納孔５の後方部５ａに収納されるものであっても良く、また、図２（ｂ）に示すように加振器３が収納孔５の後方部５ａに完全に収納されるように加振器３の全体が基板１の厚み内に配置されるものであっても良い。
【００２８】
前記各加振器３は図示しない音声用アンプ等の音源装置に配線７（図３参照）を介して接続される。各加振器３は、音源装置から出力された音声信号に基づいて振動し、これにより振動板２の発音部６を振動させ、音を前方に発する。
【００２９】
以上説明したスピーカー機能付き建築用パネルは、一般のスピーカー機能を備えていない建築用パネルと同様に、基板１により主体が構成されるため、強度の高い建築用パネルとして利用することができる。また、加振器３により、基板１の前面と共に天井面の一部や壁面の一部を構成する振動板２の発音部６を振動させ、音を発することができ、スピーカーとしても利用することができる。
【００３０】
また、振動板２の前面は基板１の前面と面一となるため、スピーカー機能付き建築用パネルの前面の全体が段差のない平坦な面となり、見栄えが良い。また、振動板２の前面と基板１の前面との間に段差が形成されないため、一般の建築用パネルと略同じ外観となる。
【００３１】
また、各加振器３は図２（ａ）及び図２（ｂ）に示すように収納孔５に収納されるため、基板１からの後方への突出量が小さい、又は基板１よりも後方に突出しない。従って、スピーカー機能付き建築用パネルを下地に取り付ける際に、加振器３が他の部材に干渉することを防止でき、施工性が良い。特に基板１の背面を下地に直接当接する際に加振器３が下地に干渉せず、良い。
【００３２】
また、本例のスピーカー機能付き建築用パネルは複数の加振器３を備えたものである。このため、複数チャンネルの音を出力することができる。
【００３３】
次に図３に示す他例のスピーカー機能付き建築用パネルについて説明する。なお以下の説明では一例のスピーカー機能付き建築用パネルと同一の構成については同一の番号を付与し、重複する説明は省略する。
【００３４】
図３に示すスピーカー機能付き建築用パネルは、基板１の後面に各収納孔５の後方部５ａに通じる配線収納溝８を形成している。配線収納溝８は、基板１の長手方向に伸びる主溝９と、基板１の短手方向に伸びる複数の副溝１０とで構成されている。
【００３５】
主溝９の両端はそれぞれ基板１の長手方向の端面に至り、開口している。副溝１０は一端が主溝９に連通すると共に他端が収納孔５の後方部５ａに連通している。これにより各収納孔５の後方部５ａは配線収納溝８を介して基板１の外方に連通している。
【００３６】
前記配線収納溝８には図３に示すように各加振器３に接続された配線７を収納することができ、前述のスピーカー機能付き建築用パネルの施工性をさらに向上できる。また、基板１の後方に配線７を収納するためのスペースを形成する必要がなく、施工の自由度が増す。
【００３７】
なお、前記各例のスピーカー機能付き建築用パネルは加振器３を２個備えたものであるが、１個又は３個以上の加振器３を備えたものであっても良いものとする。また、加振器３が配される収納孔５の位置や形状、大きさも、出力する音等に応じて適宜変更可能である。
【００３８】
次に図４に示す更に他例のスピーカー機能付き建築用パネルについて説明する。なお以下の説明では一例のスピーカー機能付き建築用パネルと同一の構成については同一の番号を付与し、重複する説明は省略する。
【００３９】
本例のスピーカー機能付き建築用パネルは、前記振動板２を基板１に対して基板１の前面側から着脱自在に取り付けている。
【００４０】
具体的には、図４に示すように、振動板２の加振器３を挟んだ両側部分には後方に向けて突出する係止部１２が設けられている。各係止部１２は後端部から外側に向けて突出した突部１５を備え、Ｌ字状に形成されている。
【００４１】
一方、基板１の収納孔５の後方部５ａの内周面の各係止部１２に対応する箇所には、基板１の厚み方向に貫通する挿通溝１４が形成されている。基板１の段４上には制震材１３が設けられている。
【００４２】
加振器３付きの振動板２を基板１に取り付けるには、図４の矢印に示すように、基板１の前側に配置した振動板２を基板１側に移動することで、振動板２を基板１の段４の前側に制震材１３を介して配置すると共に、振動板２の各係止部１２を対応する挿通溝１４に通して基板１の後面側に配置し、この後、振動板２を回動して、各係止部１２の突部１５を振動板２の後面側に係止する。
【００４３】
また、このように基板１に取り付けられた加振器３付きの振動板２を取り外すには、前記とは逆に、基板１の前側から振動板２を各係止部１２が挿通溝１４に対応する位置に配されるまで回動し、この後、振動板２を前側に移動して、各係止部１２を挿通溝１４を通して基板１の前側に引き抜く。
【００４４】
このように本例のスピーカー機能付き建築用パネルは、前記振動板２を基板１の前側から着脱自在としてあるので、スピーカー機能付き建築用パネルの設置後においては、スピーカー機能付き建築用パネルの室内側から振動板２を加振器３と共に取り外したり、取り付けたりすることができる。そして、この場合、基板１を下地から取り外す等する必要がなく、振動板２や加振器３のメンテナンスを容易に行うことができる。また、振動板２と段差面４との間に制震材１３を挟むことにより、基板１の振動板２と基盤１との間で振動が伝わり難くなり、音質を向上できる。
【００４５】
なお、本例では基板１に一個の加振器３を設けたものであるが、前記各例と同様に基板１に複数の加振器３を設けても良いものとする。
【図面の簡単な説明】
【００４６】
【図１】本発明の実施形態の一例の加振器付き振動板を取り付ける前のスピーカー機能付き建築用パネルの斜視図である。
【図２】（ａ）は加振器の一部が基板よりも後方に突出した例の側面図であり、（ｂ）は加振器の全体を基板の厚み内に配置した例の側面図である。
【図３】他例のスピーカー機能付き建築用パネルの斜視図である。
【図４】更に他例の加振器付き振動板を取り付ける前のスピーカー機能付き建築用パネルの斜視図である。
【符号の説明】
【００４７】
１  基板
２  振動板
５  収納孔
５ａ  後方部
５ｂ  前端部
８  配線収納溝
【図１】
2010077737.tif 000003
【図２】
2010077737.tif 000004
【図３】
2010077737.tif 000005
【図４】
2010077737.tif 000006